(57)【要約】      （修正有）【課題】大きな重心深度を有するアイアン型ゴルフクラブヘッドを提供する。【解決手段】スコアラインが形成されたフェース２を具えたヘッド本体１０と、ヘッド本体１０よりも大きい比重を有する重量物２０と、ヘッド本体１０よりも大きくかつ重量物２０よりも小さい比重を有する固定用部材３０とを含む。固定用部材３０は、重量物２０を覆うようにしてヘッド本体１０に溶接固定されている。スコアラインを水平としかつフェース２を垂直とした前傾状態において、ヘッド最後方位置Ｐから重量物２０の重心Ｇｗまでのフェース２と直角方向の距離Ｄが、ヘッド最後方位置Ｐからフェース２までの最短距離である最大ヘッド厚さＷの４７．３％以下である。【選択図】図３
2019017523.tif 000002
【特許請求の範囲】
【請求項１】
アイアン型ゴルフクラブヘッドであって、
スコアラインが形成されたフェースを具えたヘッド本体と、
前記ヘッド本体よりも大きい比重を有する重量物と、
前記ヘッド本体よりも大きくかつ前記重量物よりも小さい比重を有する固定用部材とを含み、
前記固定用部材は、前記重量物を覆うようにして前記ヘッド本体に溶接固定されており、
前記スコアラインを水平としかつ前記フェースを垂直とした前傾状態において、ヘッド最後方位置から前記重量物の重心Ｇｗまでの前記フェースと直角方向の距離Ｄが、前記ヘッド最後方位置から前記フェースまでの最短距離である最大ヘッド厚さＷの４７．３％以下である、
アイアン型ゴルフクラブヘッド。
【請求項２】
前記距離Ｄが、前記最大ヘッド厚さＷの４０．０％以下である請求項１記載のアイアン型ゴルフクラブヘッド。
【請求項３】
重心深度Ｌが、前記最大ヘッド厚さＷの２７．０％以上である請求項１又は２記載のアイアン型ゴルフクラブヘッド。
【請求項４】
重心深度Ｌが、前記スコアラインのトウ側端の位置でのヘッド厚さＷｔの２７．５％以上である請求項１ないし３のいずれかに記載のアイアン型ゴルフクラブヘッド。
【請求項５】
前記重量物は、前記固定用部材によって完全に覆われており、
前記固定用部材は、前記ヘッド本体のバック面の少なくとも一部を構成している請求項１ないし４のいずれかに記載のアイアン型ゴルフクラブヘッド。
【請求項６】
前記ヘッド本体は、ヘッド仕上がり形状の外面から凹んだ凹部を有し、
前記重量物は、前記凹部に配置されている請求項１ないし５のいずれかに記載のアイアン型ゴルフクラブヘッド。
【請求項７】
前記凹部が、ヘッド底面をなすソールに形成されている請求項６記載のアイアン型ゴルフクラブヘッド。
【請求項８】
前記凹部は、底部に向かってテーパー状に配置された一対の斜面を有し、
前記重量物は、前記一対の斜面に当接する一方、前記底部との間には隙間が形成されている請求項６又は７に記載のアイアン型ゴルフクラブヘッド。
【請求項９】
前記重量物の重心は、トウ−ヒール方向において、前記スコアラインの形成領域内に位置している請求項１ないし８のいずれかに記載のアイアン型ゴルフクラブヘッド。
【請求項１０】
前記重量物は、前記ヘッド本体との溶接性が低く、
前記固定用部材は、前記ヘッド本体との溶接性が高い、
請求項１ないし９のいずれかに記載のアイアン型ゴルフクラブヘッド。
【発明の詳細な説明】
【技術分野】
【０００１】
本発明は、アイアン型ゴルフクラブヘッドに関し、詳しくは、ヘッド本体と重量物とを含むアイアン型ゴルフクラブヘッドに関する。
【背景技術】
【０００２】
従来、重心深度や慣性モーメントなどを大きくするために、ヘッド本体と、それよりも比重が大きい錘部材とを具えたアイアン型ゴルフクラブヘッドが提案されている（例えば、下記特許文献１参照）。
【先行技術文献】
【特許文献】
【０００３】
【特許文献１】特開２０１２−６５８０３号公報
【発明の概要】
【発明が解決しようとする課題】
【０００４】
ところで、上述のようなアイアン型ゴルフクラブヘッドにおいて、重心設計をより効果的なものとすべく、より大きな比重を有する重量物の採用を試みる場合、当該重量物の化学成分等は、ヘッド本体のそれとは大きく異なったものになる。このため、そのような重量物は、ヘッド本体への溶接性が低下するため、ヘッド本体に対する配置自由度が低く、ひいてはヘッド本体の最後方側に配置できないという課題があった。
【０００５】
本発明は、以上のような実情に鑑み案出なされたもので、重量物の配置自由度を高めて、大きな重心深度を有するアイアン型ゴルフクラブヘッドを提供することを主たる課題としている。
【課題を解決するための手段】
【０００６】
本発明は、アイアン型ゴルフクラブヘッドであって、スコアラインが形成されたフェースを具えたヘッド本体と、前記ヘッド本体よりも大きい比重を有する重量物と、前記ヘッド本体よりも大きくかつ前記重量物よりも小さい比重を有する固定用部材とを含み、前記固定用部材は、前記重量物を覆うようにして前記ヘッド本体に溶接固定されており、前記スコアラインを水平としかつ前記フェースを垂直とした前傾状態において、ヘッド最後方位置から前記重量物の重心Ｇｗまでの前記フェースと直角方向の距離Ｄが、前記ヘッド最後方位置から前記フェースまでの最短距離である最大ヘッド厚さＷの４７．３％以下である、アイアン型ゴルフクラブヘッドである。
【０００７】
本発明の一態様では、前記距離Ｄが、前記最大ヘッド厚さＷの４０．０％以下であっても良い。
【０００８】
本発明の一態様では、重心深度Ｌが、前記最大ヘッド厚さＷの２７．０％以上であっても良い。
【０００９】
本発明の一態様では、重心深度Ｌが、前記スコアラインのトウ側端の位置でのヘッド厚さＷｔの２７．５％以上であっても良い。
【００１０】
本発明の一態様では、前記重量物は、前記固定用部材によって完全に覆われても良く、前記固定用部材は、前記ヘッド本体のバック面の少なくとも一部を構成しても良い。
【００１１】
本発明の一態様では、前記ヘッド本体は、ヘッド仕上がり形状の外面から凹んだ凹部を有しても良く、前記重量物は、前記凹部に配置されても良い。
【００１２】
本発明の一態様では、前記凹部が、ヘッド底面をなすソールに形成されても良い。
【００１３】
本発明の一態様では、前記凹部は、底部に向かってテーパー状に配置された一対の斜面を有しても良く、前記重量物は、前記一対の斜面に当接する一方、前記底部との間には隙間が形成されても良い。
【００１４】
本発明の一態様では、前記重量物の重心は、トウ−ヒール方向において、前記スコアラインの形成領域内に位置しても良い。
【００１５】
本発明の一態様では、前記重量物は、前記ヘッド本体との溶接性が低く、前記固定用部材は、前記ヘッド本体との溶接性が高く構成されても良い。
【発明の効果】
【００１６】
本発明のアイアン型ゴルフクラブヘッドは、ヘッド本体に溶接固定された固定用部材で重量物を覆うことにより、ヘッド本体との溶接性が低くなりやすい重量物を、ヘッド本体に固定することが可能になる。このため、重量物の配置自由度が高くなり、重量物の重心位置を、ヘッド最後方位置の近くに配置することができる。また、固定用部材も、ヘッド本体よりも大きい比重を有するので、その重量もヘッド重心設計に利用することができる。これらにより、本発明のアイアン型ゴルフクラブヘッドは、大きな重心深度を提供することができる。
【図面の簡単な説明】
【００１７】
【図１】本発明の一実施形態のゴルフクラブヘッドの正面図である。
【図２】図１のゴルフクラブヘッドの背面図である。
【図３】ゴルフクラブヘッドの底面図である。
【図４】（Ａ）〜（Ｃ）は、図２のゴルフクラブヘッドのＡ−Ａ線、Ｂ−Ｂ線及びＣ−Ｃ線の各位置の基準状態の断面図である。
【図５】本実施形態のゴルフクラブヘッドの正面側から見た分解斜視図である。
【図６】本実施形態のゴルフクラブヘッドのソール側から見た分解斜視図である。
【図７】図３のＸ−Ｘ線断面図である。
【図８】図７の拡大断面図である。
【図９】図４（Ｂ）の部分拡大図である。
【図１０】重量物の変形例を示す図２のＢ−Ｂ線の位置相当断面図である。
【図１１】ゴルフクラブヘッドの基準状態を説明するためのゴルフクラブヘッドの概略斜視図である。
【発明を実施するための形態】
【００１８】
以下、本発明の実施の一形態が図面に基づき説明される。
図１〜３は、本実施形態のアイアン型ゴルフクラブヘッド（以下、単に、「ゴルフクラブヘッド」ということがある。）１の正面図、背面図及び底面図をそれぞれ示している。図４（Ａ）〜（Ｃ）は、図２のＡ−Ａ線、Ｂ−Ｂ線及びＣ−Ｃ線の各位置での基準状態の断面図をそれぞれ示している。図５及び図６は、図１のゴルフクラブヘッド１の分解斜視図が示されている。
【００１９】
［基準状態］
本明細書において、ゴルフクラブヘッド１の「基準状態」とは、図１１に概念的に示されるように、フェース２に形成されたスコアライン７と水平面ＨＰとが平行とされた状態で、ゴルフクラブヘッド１が水平面ＨＰ上に載置された状態である。この基準状態では、ゴルフクラブヘッド１のシャフト差込穴８の中心軸線Ｚ（クラブシャフトの軸線）が基準垂直面ＶＰ内に配されている。基準垂直面ＶＰは、水平面ＨＰに対して垂直な平面である。この基準状態において、スコアライン７は、水平面ＨＰに平行であり、かつ、基準垂直面ＶＰに平行である。
【００２０】
［前傾状態］
図１〜図３において、ゴルフクラブヘッド１は、基準状態にあるゴルフクラブヘッド１を基準水平軸（水平面ＨＰ及び基準垂直面ＶＰに平行な軸）周りに回転させ、フェース２が垂直（基準垂直面ＶＰに平行）になるように、ゴルフクラブヘッド１を基準状態から前に傾けた状態とされている。以下、この状態を「前傾状態」と呼ぶ。
【００２１】
［ヘッドの方向］
図１１を参照し、ゴルフクラブヘッド１の前側は、ボールを打撃するフェース２の側を意味する。ゴルフクラブヘッド１の後側は、その反対側を意味する。ゴルフクラブヘッド１の「上側」及び「下側」は、垂直方向の「上側」及び「下側」をそれぞれ意味する。ゴルフクラブヘッド１のトウ−ヒール方向は、ゴルフクラブヘッド１の前後方向と直交する水平方向を意味する。
【００２２】
［ヘッドの基本形状］
図１〜６に示されるように、本実施形態のゴルフクラブヘッド１は、典型的なアイアン型の形状を有し、フェース２、トップ３、ソール４、トウ５及びホーゼル６を含んでいる。
【００２３】
フェース２は、ボールを打撃するための実質的に平坦な面である。フェース２には、ボールとの摩擦を高めるために、トウ−ヒール方向に延びる複数本のスコアライン７が設けられている。
【００２４】
トップ３は、フェース２の上縁から後方に延びているゴルフクラブヘッド１の上面部分である。
【００２５】
ソール４は、フェース２の下縁から後方に延びているゴルフクラブヘッド１の底面を構成する部分である。トウ５は、ホーゼル６から最も離れた部分であり、トップ３とソール４との間を滑らかに接続している。
【００２６】
ホーゼル６は、クラブシャフト（図示省略）が連結されるためのシャフト差込穴８を有する部分であり、例えば、筒状に構成されている。シャフト差込穴８の中心軸線Ｚは、クラブシャフト（図示省略）がそこに固着されたときに、クラブシャフトの軸線に本質的に一致する。
【００２７】
本実施形態のゴルフクラブヘッド１は、ヘッド本体１０、重量物２０及び固定用部材３０を含んで構成されている。
【００２８】
［ヘッド本体］
ヘッド本体１０は、ゴルフクラブヘッド１の主要部を構成するもので、本実施形態では、スコアライン７が形成されたフェース２、トップ３、ソール４、トウ５及びホーゼル６を含んでいる。ヘッド本体１０は、例えば、金属材料で構成されている。
【００２９】
好ましい態様では、ヘッド本体は、図５に示されるように、フェースプレート１２と、フェース受け部１４とを含む。本実施形態では、フェースプレート１２及びフェース受け部１４とは、互いに異なる金属材料で構成されている。
【００３０】
フェースプレート１２は、例えば、ゴルフクラブヘッド１を構成する金属材料の中で相対的に小さい比重を有する金属材料で構成されている。特に好ましい態様では、フェースプレート１２には、比重が４．５以下の比強度に優れたチタン合金が採用され得る。このような態様は、ヘッド重心をより後方に位置させるのに有効である。
【００３１】
フェース受け部１４は、例えば、トップ３、ソール４及びトウ５で囲まれた前後に貫通する開口部Ｏを有している。フェース受け部１４は、開口部Ｏの周りに、フェースプレート１２の周縁部が固着されるフェース取付部１６が設けられている。フェース取付部１６にフェースプレート１２が固着されることにより、開口部Ｏは閉じられる。フェースプレート１２とフェース受け部１４とは、例えば、溶接、ろう付け、接着剤又はカシメ等の接合手段によって一体に固着される。フェース受け部１４は、さらに、ホーゼル６を一体に具えている。
【００３２】
好ましい態様では、フェース受け部１４は、基本的な強度と良好な加工性などを具えている鉄基合金が採用され、好ましくはステンレス又は炭素鋼などが用いられる。これらの比重は、７．０を超えるもので、好ましくは、７．５以上とされる。このような態様は、ヘッド重心を、より後方に位置させるのに有効である。他の態様では、ヘッド本体１０は、１種類又は３種類以上の材料で構成されても良い。
【００３３】
１種類の材料で構成されたヘッド本体１０は、典型的には、フェースプレート１２とフェース受け部１４とが別部材ではなく、これらが一体的に一つの部材で作られた１ピース構造である。他の例として、ヘッド本体１０は、例えば、同一の材料からなるフェースプレート１２及びフェース受け部１４が一体に固着された２ピース構造であっても良い。また、３種類以上の材料で構成されたヘッド本体１０としては、例えば、フェース受け部１４を２以上の部材で構成し、フェースプレート１２と一体に固着したマルチピース構造が挙げられる。
【００３４】
図４及び図６に示されるように、ヘッド本体１０には、例えば、ヘッド仕上がり形状の外面から凹んだ凹部１８が設けられている。本実施形態では、凹部１８に後述の重量物２０及び固定用部材３０がそれぞれ配置されることにより、ゴルフクラブヘッド１の仕上がり形状が得られる。換言すれば、凹部１８は、ヘッド仕上がり形状から、重量物２０及び固定用部材３０を取り除いた部分（空間ないし容積）として定義される。本実施形態において、凹部１８は、ソール４側（より詳しくは、フェース受け部１４のソール）に設けられており、トウ−ヒール方向に長く溝状に延びている。
【００３５】
［重量物］
重量物２０は、ヘッド本体１０よりも大きい比重を有する金属材料で構成される。ヘッド本体１０が、１種類の材料から構成されている場合、ヘッド本体１０の比重は当該材料の比重を意味する。一方、ヘッド本体１０が比重の異なる複数の材料を組み合わせて構成されている場合、ヘッド本体１０の比重は、各材料の比重を、各材料が構成している部材の体積で重み付けした加重平均値として特定される。
【００３６】
重量物２０は、ヘッド重心の位置の決定に大きな影響を与え、ヘッド重心の位置を、重量物２０の重心の位置に近づける働きをする。本実施形態において、重量物２０は、ヘッド重心をヘッドの下方かつ後方に近づけるように配置される。図５及び図６に示されるように、重量物２０は、例えば、トウ−ヒール方向に沿って長く延びている。より詳細には、図３に示されるように、そのトウ−ヒール方向の長さＷＬが、スコアライン７のトウ側端７ａからヒール側端７ｂまでの長さ以上とされている。また、重量物２０の、トウ−ヒール方向と直交する横断面積は、トウ−ヒール方向の両側に向かって漸減している。ヘッド重心の位置の調整とゴルフクラブヘッド１のスイングのしやすさなどを考慮すれば、重量物２０の重量は、例えばヘッド全重量の約５〜２０％の範囲に設定されるのが望ましい。
【００３７】
好ましい態様では、重量物２０は、Ｗ、Ｎｉ及びＦｅを含むタングステン・ニッケル・鉄合金で構成され得る。重量物２０の比重は、特に限定されるものではないが、好ましくは１０．０以上、より好ましくは１２．０以上とされる。また、重量物２０の比重は、上記のいずれかの下限値との組み合わせにおいて、好ましくは１８．５以下の範囲とされる。比重が大きいほど、重量物を小型化でき、生産性や設計自由度が向上する点で望ましい。
【００３８】
上記合金は、例えば、その化学成分中、Ｆｅに対するＷの割合を高めることによって、より大きな比重を得ている。一方、Ｗの増加によって高比重化された重量物２０は、相対的にＦｅの割合が低下するので、鉄基合金に対する溶接性が低下する。したがって、本実施形態の重量物２０は、鉄基合金からなるヘッド本体１０との溶接性が低いという特性を有する。ここで、「溶接性が低い」とは、対象となる相手方の金属材料との間で良好な溶接（欠陥のない健全な溶接）を行い難いことを意味する。
【００３９】
本実施形態では、重量物２０は、凹部１８に配置される。重量物２０の容積は、凹部１８の容積よりも小さく構成されている。好ましい態様では、重量物２０は、凹部１８の表面の少なくとも一部と当接する。これについては、後述する。
【００４０】
［固定用部材］
固定用部材３０は、重量物２０を覆うようにヘッド本体１０に固定されている（図２〜図４参照）。固定用部材３０は、ヘッド本体１０に溶接可能な金属材料で構成される。好ましい態様では、固定用部材３０は、比重に関して、ヘッド本体１０よりも大きく、かつ、重量物２０よりも小さい金属材料で構成される。このような態様では、重量物２０のみならず、固定用部材３０の重量も、ゴルフクラブヘッド１の重心位置の設計に利用することができる。
【００４１】
固定用部材３０に適した金属材料としては、例えば、重量物２０と類似のＷ、Ｎｉ及びＦｅを含むタングステン・ニッケル・鉄合金が挙げられる。このような合金は、Ｗの割合を調整する（重量物２０のそれに比して減らす）ことにより、鉄基合金からなるヘッド本体１０へ溶接可能、即ち、良好な溶接性（溶接継手の接合強度）を維持しながら、ヘッド本体１０よりも高い比重を持つことができる。より好ましい態様では、固定用部材３０の比重は、８．０〜１０．０の範囲とされる。
【００４２】
本実施形態では、固定用部材３０は、重量物２０を完全に覆うような状態でヘッド本体１０に溶接固定されている（図２〜図４参照）。このように、本実施形態のゴルフクラブヘッド１は、ヘッド本体１０に溶接固定された固定用部材３０で重量物２０を覆うことにより、ヘッド本体１０との溶接性が低い重量物２０を、ヘッド本体１０に確実に固定することが可能になる。接合強度を高めるために、固定用部材３０の全周縁が、ヘッド本体１０と溶接されているのが望ましい。また、好ましい態様では、固定用部材３０は、重量物２０のヘッド外方側の面と少なくとも一部で接する内側面３２を含む。このような固定用部材３０は、重量物２０を押さえ、その移動やガタツキを阻止することができる。
【００４３】
本実施形態では、固定用部材３０は、少なくともバック面１７の少なくとも一部を構成している。バック面１７は、前傾状態のゴルフクラブヘッド１において、ヘッド後方から見たときに見える部分を指す。このような態様では、固定用部材３０の重量によっても、ヘッド重心をより後方に位置させることができる。好ましい態様では、固定用部材３０は、ソール４の少なくとも一部を構成することができる。このような態様では、固定用部材３０の重量によっても、ヘッド重心をより低く位置させることができる。
【００４４】
上記態様では、固定用部材３０は、重量物２０の全てを覆っている。他の態様として、固定用部材３０は、重量物２０をヘッド本体１０との間で固定可能であれば、重量物２０の一部のみを覆うものでも良い。
【００４５】
［重量物の重心位置等］
図３及びそのＸ−Ｘ線断面図である図７に示されるように、本実施形態のゴルフクラブヘッド１は、前傾状態において、ヘッド最後方位置Ｐから重量物２０の重心Ｇｗまでのフェース２と直角方向の距離Ｄが、最大ヘッド厚さＷの４７．３％以下とされる。
【００４６】
本実施形態のゴルフクラブヘッド１によれば、ヘッド本体１０に溶接できない重量物２０を固定用部材３０で覆うことにより、ヘッド本体１０に固定することができるため、重量物２０の配置自由度が高くなり、重量物２０の重心位置を、上述のように、ヘッド最後方位置の近くに配置することができる。そして、本実施形態のゴルフクラブヘッド１は、比重が大きい重量物２０の重心Ｇｗの位置を、ヘッド最後方位置Ｐから一定の範囲内に設けたことにより、大きな重心深度Ｌを提供することができる。したがって、本実施形態のゴルフクラブヘッド１は、打球の打ち出し角を大きくでき、また、大きな上下方向の慣性モーメントを提供することができる。
【００４７】
本実施形態の場合、ヘッド内部に一つの重量物２０が設けられているので、その重心は一義的に定まる。他の実施形態として、ヘッド内部に区別可能な複数の重量物２０が設けられてもよい。典型的な例として、例えば、トウ及びヒールにそれぞれ独立した重量物が設けられている場合である。このような場合、これら複数の重量物２０を一つの集合体とみなし、その集合体の重心が「重量物」の重心として定められる。また、前記最大ヘッド厚さＷは、前傾状態において、ヘッド最後方位置Ｐからフェース２までの最短距離として定義される。この最大ヘッド厚さＷは、典型的には、ゴルフクラブヘッドのフェース２のトウ側寄りに位置し、より詳細にはスコアライン７のトウ側端７ａの近傍に位置する傾向がある。さらに、重心深度Ｌとは、図３及び図７に示されるように、前傾状態において、ヘッド重心Ｇｈからフェース２までの最短距離として定義される（図７には、重心深度の説明の便宜上、ヘッド重心Ｇｈが表示されているが、実際には、この断面内にヘッド重心が存在していることを意味するものではない。）。
【００４８】
前記距離Ｄが、最大ヘッド厚さＷの４７．３％を超えると、重心深度Ｌが小さくなる傾向がある。好ましい態様では、前記距離Ｄは、最大ヘッド厚さＷの４０．０％以下とされ、より好ましい態様では、３８．０％以下とされる。
【００４９】
好ましい態様として、重量物２０の重心Ｇｗは、トウ−ヒール方向において、スコアライン７の形成領域内（即ち、図３に示されるように、スコアライン７のトウ側端７ａからヒール側端７ｂまでの範囲内）に位置しているのが望ましい。一般に、ヘッド重心Ｇｈは、トウ−ヒール方向において、スコアライン７の形成領域内に位置するので、このヘッド重心Ｇｈを効果的にヘッド後方に位置させるために、重量物２０の重心Ｇｗも上記形成領域内に位置するのが望ましい。
【００５０】
好ましい態様として、重量物２０の重心Ｇｗを上記のように設定することで、重心深度Ｌが最大ヘッド厚さＷの２７．０％以上に設定されても良い。測定の便宜上、重心深度Ｌが、スコアライン７のトウ側端７ａの位置でのヘッド厚さＷｔと関連付けられることもある。このような態様では、重心深度Ｌは、上記ヘッド厚さＷｔの２７．５％以上とされるのが望ましい。なお、最大ヘッド厚さＷは、特に限定されるものではないが、例えば、１５〜３０mmの範囲内で形成されるのが望ましい。
【００５１】
［凹部・重量物等の好ましい態様］
（態様１）
図８に示されるように、ヘッド本体１０に形成された凹部１８は、ヘッド外面から凹んだ底部１８ａと、この底部１８ａに向かってテーパー状に配置された一対の斜面１８ｂを含んで構成されても良い。好ましい態様では、斜面１８ｂの一方は、フェース２と平行であり、他方は、フェース２と直交している。したがって、斜面１８ｂ、１８ｂ間には、ほぼ直角のコーナが形成されている。このコーナの奥側に、底部１８ａが形成されている。本実施形態では、底部１８ａは、２つの斜面に互いに交差する向きの平面で形成されている。
【００５２】
一方、重量物２０は、一対の斜面１８ｂ、１８ｂに当接する（嵌まり込む）テーパー部分２６を有する。即ち、テーパー部分２６は、斜面１８ｂ、１８ｂと本質的に面接触する部分を有している。また、テーパー部分２６の先端面２８は、テーパー部分２６が斜面１８ｂ、１８ｂと本質的に面接触したときに、凹部１８の底部１８ａとの間に隙間Ｄｇを形成するように構成されている。このような態様によれば、重量物２０の位置は、一対の斜面１８ｂによって拘束され、重量物２０のヘッド内部での移動（トウ−ヒール方向、前後方向又は上方の移動）が妨げられる。したがって、ボール打撃時、重量物２０のヘッド内部でのガタツキや振動に起因した異音の発生が抑制される。また、上記の構成で重量物２０のガタツキを抑制することができるため、重量物２０のテーパー部分２６等については、高い加工精度が不要となるため、生産性も向上する。好ましい態様では、上記隙間Ｄgは、０．５mm以上とされる。
【００５３】
（態様２）
図４（Ｂ）及びその部分拡大図である図９に示されるように、上記態様１に加えて又は態様１に代えて、ヘッド本体１０の凹部１８には、ヘッド外方に向かって突出する少なくとも一つの凸部１９が形成されても良い。本実施形態において、凸部１９は、例えば、凹部１８の底部１８ａに形成されている。本実施形態において、凸部１９は、例えば、略円柱状に形成されているが、このような態様に限定されるものではない。また、凸部１９は、凹部１８に一つ設けられているが、２つ以上設けられても良い。
【００５４】
重量物２０には、凸部１９に対応して、貫通孔２２が形成される。重量物２０は、貫通孔２２にヘッド本体１０の凸部１９が嵌め込まれるように凹部１８に配置されている。このような態様によれば、重量物２０は、凹部１８の斜面１８ｂとの接触のみならず、その貫通孔２２が凸部１９と係合することで、ガタツキや振動がより確実に抑制される。好ましい態様では、重量物２０の貫通孔２２は、図３に示されるように、重量物２０の長手方向の中央部に設けられているのが望ましい。このような態様では、重量物２０の振動等がより効果的に抑制され得る。ここで、重量物２０の長手方向とは、重量物２０の最大長さＷＬとなる方向であり、本実施形態では、トウ−ヒール方向である。また、長手方向の中央部とは、前記最大長さＷＬの長手方向の中央点から、該長手方向の両側に、それぞれ重量物２０の最大長さの２０％の範囲内の部分とする。
【００５５】
（態様３）
図９に示されるように、上記態様２を前提として、貫通孔２２と凸部１９との間に、重量物２０をヘッド本体１０側に固定するための係止部５０が配置されても良い。係止部５０は、貫通孔２２と凸部１９との間の隙間を埋め、両者の相対的な移動を、摩擦の作用及び／又は機械的な係合作用によって拘束するものが望ましい。このような係止部５０としては、特に限定されないが、例えば、凸部１９の先端部に溶接固着された溶接ビード５２を採用できる。溶接ビード５２は、流動性を有する溶融金属が固化したもので、本実施形態では凸部１９を構成している金属材料（即ち、ヘッド本体１０を形成している金属材料）と溶融・一体化している。
【００５６】
溶接ビード５２は、固化前の状態では流動性を有する。したがって、重量物の貫通孔２２と、ヘッド本体１０側の凸部１９とを嵌合させた後に、両者の間の微小な隙間に供給されることにより、その内部に浸透し、該隙間を埋めた状態で凸部１９に固着され得る。したがって、本実施形態の係止部５０は、重量物２０と直接的に一体化していなくても、貫通孔２２と凸部１９との隙間を減じ、両者の密着性を高める。これは、ヘッド本体１０に対する重量物２０の振動、即ち、凸部１９の突出方向及び突出方向に対して直角な方向の振動を、より効果的に抑制する。
【００５７】
係止部５０による重量物２０の拘束効果を高めるために、本実施形態では、凸部１９の先端側にテーパー部１９ａが形成されている。これにより、テーパー部１９ａと貫通孔２２の内面との間には、ヘッド外面に向かって拡大する隙間（空間）が提供される。このような隙間は、溶接継手のいわゆる開先として利用できる。即ち、上記空間に、溶融金属を十分に満たすことができる。溶融金属は、例えば、凸部１９とは別に溶加材として前記空間に供給されることが望ましい。溶加材は、凸部１９の表面と相互に溶融し、一体化しながら固化する。溶融金属の固化により、凸部１９の外周部分には、溶接ビード５２からなる係止部５０が形成され、貫通孔２２との密着性が高められる。
【００５８】
貫通孔２２は、ヘッド本体１０側の第１開口２２ａと、ヘッド外方側の第２開口２２ｂとを有するが、好ましい態様では、第２開口２２ｂは、第１開口２２ａよりも大きい横断面積を有する。より具体的な態様として、本実施形態の貫通孔２２は、第２開口２２ｂからヘッド本体１０側に向かって横断面積が漸減しているテーパー状部分を含んでいる。
【００５９】
このような態様によれば、貫通孔２２と凸部１９との間に、ヘッド外方に向かって徐々に拡大する係止部５０を形成するための隙間（空間）を提供できる。流動性を有する溶融金属がこのような隙間に供給されると、溶融金属は、隙間の奥深く（凸部１９の根元側）までより充填され易くなる利点がある。また、上記隙間に形成された溶接ビード５２は、重量物２０をヘッド外方側から押さえ込むことができる。したがって、この態様によれば、重量物２０の凸部１９の突出方向の移動が機械的に拘束され、重量物２０の振動に起因する異音の発生をより確実に抑制することができる。
【００６０】
第２開口２２ｂの横断面積を大きくする変形例としては、図１０に示されるように、例えば、第２開口２２ｂ側に、ステップ状に内径が拡大した拡径部分２５を有しても良い。拡径部分２５の態様は、凸部１９のテーパー部１９ａの構成とともに実施されると、より効果的であるが、凸部１９にテーパー部１９ａを形成しない構成において実施されても良い。
【００６１】
係止部５０としては、溶接ビード５２に限定されるものではなく、例えば、リング状の弾性体、エラストマー又は金属製リングなどの楔部材が凸部１９と貫通孔２２との間に圧入されても良い。いずれにせよ、係止部５０は、固定用部材３０で覆われるため、ヘッド外部から視認されることはないので、ヘッド外観などを損ねるおそれはない。
【００６２】
以上、本発明の実施形態が、種々説明されたが、本発明は、上記の実施形態に限定されるものではなく、種々の態様に変形することができる。特に、異なる実施形態間においても、１以上の特徴部分（変更部分）を相互に利用し又は組み合わせることが可能であることは言うまでもない。
【実施例】
【００６３】
図１〜６の基本形状を有するアイアン型ゴルフクラブヘッドが表１の仕様に基づいて試作され、それらの重心深度等が測定された。テストの結果、実施例のアイアン型ゴルフクラブヘッドは、大きな重心深度を提供していることが確認できた。一方、比較例のアイアン型ゴルフクラブヘッドでは、Ｄ／Ｗが４７．３％を超えており、重心深度が小さいことが確認できる。
【００６４】
【表１】
2019017523.tif 000003
【符号の説明】
【００６５】
１  ゴルフクラブヘッド
７  スコアライン
１０  ヘッド本体
２０  重量物
３０  固定用部材
【図１】
2019017523.tif 000004
【図２】
2019017523.tif 000005
【図３】
2019017523.tif 000006
【図４】
2019017523.tif 000007
【図５】
2019017523.tif 000008
【図６】
2019017523.tif 000009
【図７】
2019017523.tif 000010
【図８】
2019017523.tif 000011
【図９】
2019017523.tif 000012
【図１０】
2019017523.tif 000013
【図１１】
2019017523.tif 000014